(57)【要約】【課題】廃棄する部分を生じさせることなく使い切ることができる芯なしロールペーパーの製造方法を提供する。【解決手段】原反ロール１０から幅広の薄紙１１を引き出す第１過程と、幅広の薄紙１１に接着剤を噴射する第２過程と、幅広の薄紙１１を巻軸１７に巻き付けてログロール２０を生成する第３過程と、ログロール２０を輪切り裁断して複数のロールペーパーを生成する第４過程とを有し、前記第２過程は、幅広の薄紙１１の、巻軸１７へ巻き付ける巻始め部分であって、該幅広の薄紙１１の幅方向両端ならびに第４過程で裁断される位置に、巻軸１７へ巻き付けられた幅広の薄紙１１を凝固させるとともに該凝固状態から薄紙に剥離することが可能な接着力を有する第１接着剤を付着させる第５過程と、第１接着剤を付着させた各位置の間に、第１接着剤よりも接着力の弱い第２接着剤を付着させる第６過程と、を有することを特徴とする。【選択図】図１
2018158055.tif 000002
【特許請求の範囲】
【請求項１】
原反ロールから幅広の薄紙を引き出す第１過程と、
前記幅広の薄紙に接着剤を噴射する第２過程と、
前記幅広の薄紙を巻軸に巻き付けてログロールを生成する第３過程と、
前記ログロールを輪切り裁断して複数のロールペーパーを生成する第４過程と、
を有し、
前記第２過程は、
前記幅広の薄紙の、前記巻軸へ巻き付ける巻始め部分であって、該幅広の薄紙の幅方向両端ならびに前記第４過程で裁断される位置に、前記巻軸へ巻き付けられた幅広の薄紙を凝固させるとともに該凝固状態から薄紙に剥離することが可能な接着力を有する第１接着剤を付着させる第５過程と、
前記第１接着剤を付着させた各位置の間に、前記第１接着剤よりも接着力の弱い第２接着剤を付着させる第６過程と、
を有する、ことを特徴とする芯なしロールペーパー製造方法。
【請求項２】
前記第５過程は、
前記第４過程で裁断されるロールペーパーの中心孔に該ロールペーパーを保持するホルダーの支持部材を挿入させたとき、該支持部材と接する部分に前記第１接着剤を付着させる、
ことを特徴とする請求項１に記載の芯なしロールペーパー製造方法。
【発明の詳細な説明】
【技術分野】
【０００１】
この発明は、芯材を備えていないロールペーパーを、ロール終端まで使い切ることを可能にする芯なしロールペーパーの製造方法に関するものである。
【背景技術】
【０００２】
一般的なトイレットペーパーなどのロールペーパーは、筒状の厚紙などからなる芯材を備え、この芯材に薄紙材からなるペーパーを巻上げてロール状に形成させている。また、上記の厚紙からなる芯材を備えることなく、薄紙材のみを巻上げてロール状に形成した芯なしのトイレットペーパーなども製造されている。
厚紙などの芯材を備えないロールペーパーは、特に、ロール軸方向に外力が加えられたとき、ロール形状が押しつぶされて中心孔などに変形が生じ易い。そのため、芯材を備えないロールペーパーを製造するとき、薄紙材の巻始め部分に接着剤を塗布して巻回し、当該ロールペーパーの軸心となる部分の薄紙材を筒状に固めている（例えば、特許文献１参照）。
また、トイレットペーパーなどを製造するときに、原反ロールから幅広トイレットペーパーを引き出し、これを巻軸に巻き取ってログロールを製造する。この後、当該ログロールを複数の所定位置で輪切りにし、製品サイズの紙幅を有する複数のトイレットペーパーを製造している（例えば、特許文献２参照）。
【先行技術文献】
【特許文献】
【０００３】
【特許文献１】特開２０１６−１３１７６１号公報
【特許文献２】特開２０１６−５９７６０号公報
【発明の概要】
【発明が解決しようとする課題】
【０００４】
従来の芯なしロールペーパーは、上記のようにロール巻き始めの部分に接着剤等を一様に塗布し、中心孔を形成する芯部分を硬く固めていたので、ロールペーパーを使い切る間際になると、上記の固めた部分から薄紙を剥離させて使用することが難しくなる。また、上記のように固めた部分は、薄紙に剥離させることができないことからゴミとなってしまい、薄紙材のみを用いた製品を提供しても廃棄する部分が生じてしまうという問題点があった。
【０００５】
本発明は上記の課題に鑑みなされたもので、廃棄する部分を生じさせることなく使い切ることができる芯なしロールペーパーの製造方法を提供することを目的とする。
【課題を解決するための手段】
【０００６】
本発明に係る芯なしロールペーパー製造方法は、原反ロールから幅広の薄紙を引き出す第１過程と、前記幅広の薄紙に接着剤を噴射する第２過程と、前記幅広の薄紙を巻軸に巻き付けてログロールを生成する第３過程と、前記ログロールを輪切り裁断して複数のロールペーパーを生成する第４過程と、を有し、前記第２過程は、前記幅広の薄紙の、前記巻軸へ巻き付ける巻始め部分であって、該幅広の薄紙の幅方向両端ならびに前記第４過程で裁断される位置に、前記巻軸へ巻き付けられた幅広の薄紙を凝固させるとともに該凝固状態から薄紙に剥離することが可能な接着力を有する第１接着剤を付着させる第５過程と、前記第１接着剤を付着させた各位置の間に、前記第１接着剤よりも接着力の弱い第２接着剤を付着させる第６過程と、を有することを特徴とする。
【０００７】
前記第５過程は、前記第４過程で裁断されるロールペーパーの中心孔に該ロールペーパーを保持するホルダーの支持部材を挿入させたとき、該支持部材と接する部分に前記第１接着剤を付着させることを特徴とする。
【発明の効果】
【０００８】
本発明によれば、芯材に相当する部分を残すことなく使いきることができ、また、ロール形状から薄紙を引き出すとき、当該薄紙がちぎれることを防いでロールペーパーの最終端まで容易に引き出すことができる。
【図面の簡単な説明】
【０００９】
【図１】本発明の芯なしロールペーパー製造方法を用いた製造装置の概略構成を示す説明図である。
【図２】図１の製造装置の動作を示す説明図である。
【図３】図２のログロールから裁断したトイレットペーパーの概観図である。
【発明を実施するための形態】
【００１０】
以下、この発明の実施の一形態を説明する。
（実施例）
図１は、本発明の芯なしロールペーパー製造方法を用いた製造装置１の概略構成を示す説明図である。図１（ａ）は、製造装置１を側方視したときの当該装置各部の配置構成を示している。また、図１（ｂ）は、製造装置１において幅広ペーパー１１（幅広の薄紙）に各接着剤を塗布する部分を簡略化して示したもので、製造装置１内において原反ロール１０から巻軸１７へ移送されている幅広ペーパー１１の表面を、上方視したときの各部の配置を示しており、図１（ａ）に示したカッター１９などの図示を省略している。
【００１１】
製造装置１は、所定位置に原反ロール１０が設置され、この原反ロール１０から幅広ペーパー１１を引き出す送り出しローラー１２，１３を上記の原反ロール１０の外周と接するように備えている。また、製造装置１は、摩擦ローラー１４，１５およびライダーローラー１６を巻軸１７の周辺に備え、巻軸１７へ幅広ペーパー１１を巻き取るように配置構成されている。
また、製造装置１は、原反ロール１０と巻軸１７との間に、接着剤供給器１８とカッター１９を備えている。図１に示した製造装置１では、接着剤供給器１８およびカッター１９は、送り出しローラー１３から送出された幅広ペーパー１１が巻軸１７に巻き取られる直前の位置（巻軸１７近傍）に設置されている。
【００１２】
接着剤供給器１８は、図１（ｂ）に示したように、原反ロール１０から引き出された幅広ペーパー１１表面の上方に設置されており、当該幅広ペーパー１１の幅方向両端の間に、直線状に渡って配置されている。
また、接着剤供給器１８は、複数の噴射器３１と噴射器３２とを交互に配置して幅広ペーパー１１表面の各所定位置（所定範囲）に、各々異なる接着剤を噴射するように構成されている。
詳しくは、幅広ロールペーパー１１の幅方向両端部分には、いずれも噴射器３１が配置されるように、噴射器３１と噴射器３２とを交互に並べて備えている。
【００１３】
噴射器３１は、後述するように巻軸１７に巻き取られた幅広ペーパー１１を凝固させ、また、後に凝固状態から容易に薄紙として剥離することが可能な接着力を有する第１接着剤を噴射するように構成されている。
噴射器３２は、第１接着剤よりも接着力が弱く、凝固したときには、第１接着剤によって凝固した部分よりも硬さなどが劣り、容易に薄紙を剥離することができる第２接着剤を噴射するように構成されている。
なお、製造装置１に制御手段等を備え、当該制御手段等によって製造装置１の各部を制御し、ここで説明する動作を行うように構成してもよい。
【００１４】
次に動作について説明する。
製造装置１は、例えば、送り出しローラー１２，１３を回転駆動して原反ロール１０を回転させ、当該原反ロール１０から所定速度で幅広ペーパー１１を引き出し、巻軸１７へ向かって移動させる。
巻軸１７近傍へ到達した幅広ペーパー１１は、巻軸１７と摩擦ローラー１４との間に挟み込まれ、さらに巻軸１７と摩擦ローラー１５との間に挟み込まれることにより、巻軸１７の軸周囲に巻き付けられる。
【００１５】
また、順次、原反ロール１０から送り出された幅広ペーパー１１が上記のように巻軸１７へ巻上げられるとき、幅広ペーパー１１の巻上げ外周部分にライダーローラー１６が適度な圧力を加えて、しわなどが生じないように、また、巻軸１７を軸心として真円状となるように当該幅広ペーパー１１を巻回させる。
幅広ペーパー１１の巻上げを継続することにより、真円状に巻上げた部分の径が所定の大きさになったとき、あるいは所定長さの幅広ペーパー１１を巻回させたとき、原反ロール１０からの幅広ペーパー１１送り出しを停止させるとともにカッター１９を動作させ、摩擦ローラー１４と巻軸１７との間に引き込まれる幅広ペーパー１１を切断してログロール２０を形成させる。
【００１６】
図２は、図１の製造装置１の動作を示す説明図である。この図は、幅広ペーパー１１を巻軸１７に巻き取る部分の斜視図であり、摩擦ローラー１４，１５、ライダーローラー１６、カッター１９などの図示を省略している。また、接着剤供給器１８に備えられた噴射器３１，３２を図示し、当該接着剤供給器１８の詳細な構成の図示を省略している。なお、図中、破線で示した部分は、幅広ペーパー１１の巻取りを終了させた後、完成したログロール２０を輪切りに裁断する位置を示している。
【００１７】
接着剤供給器１８は、前述のように複数の噴射器３１および噴射器３２を、幅広ペーパー１１の幅方向に沿って直線状に配置して備えている。
噴射器３１は、巻軸１７に巻上げられる直前の幅広ペーパー１１の幅方向両端部、及び、前述の輪切りにする位置へ第１接着剤４１を噴射するように配置されている。噴射器３２は、噴射器３１よりも１個少なく接着剤供給器１８に備えられ、各噴射器３１が第１接着剤４１を噴射する（幅広ペーパー１１表面の）各位置の間に、第２接着剤４２を噴射するように配置されている。
【００１８】
上記のように構成された接着剤供給器１８は、移動している幅広ペーパー１１に向かって各噴射機３１，３２から例えば同時に第１接着剤４１および第２接着剤４２を各々噴射し、幅広ペーパー１１の幅方向に沿って直線状に各接着剤を付着させる。
詳しくは、各噴射機３１から噴射する第１接着剤４１は、破線で示した裁断位置を跨いで、また、各裁断位置から所定の範囲内に付着させる。各噴射機３２から噴射する第２接着剤４２は、幅広ペーパー１１の幅方向において、上記の第１接着剤４１を付着させた各範囲の間に付着させ、ログロール２０を裁断することによって生成される各トイレットペーパー（ロールペーパー）の幅方向中央部分を接着させる。即ち、裁断された各トイレットペーパーに、同様な芯材部分が形成されるように２種の接着剤を所定範囲に付着させる。
【００１９】
上記の第１接着剤４１および第２接着剤４２は、巻軸１７へ幅広ペーパー１１を巻き取る直前において、当該幅広ペーパー１１の巻始め部分（先端部等）に付着させる。この巻始め部分を巻軸１７に巻き付け、後続の各接着剤幅を付着させていない幅広ペーパー１１を巻回させてログロール２０を生成する。
なお、上記の各接着剤の噴射は、例えば巻軸１７に幅広ペーパー１１が複数回巻き付く範囲に行い、適度な巻回厚みとなる幅広ペーパー１１長さの範囲に、前述のように第１接着剤４１と第２接着剤４２とを分離して付着させ、筒形状において、両端が中央部分よりも固く凝固した芯材部分を形成させる。
【００２０】
所定長さの幅広ペーパー１１を巻軸１７に巻き取ると、前述のようにカッター１９を用いて幅広ペーパー１１を幅方向に沿って切断し、ログロール２０を完成させる。ここで、カッター１９によって切断された部分、即ち、ログロール２０へ巻き取る終端部分に、前述の第２接着剤４２を適量付着させ、最も外周に巻回した幅広ペーパー１１がロール形状から容易に解けないようにしてもよい。
この後、巻軸１７が引き抜かれたログロール２０は、例えば図示されない製造装置の一部分等へ移動、あるいは他の製造装置へ設置され、図２に示した破線の位置で輪切り裁断が行われて、所定幅のトイレットペーパー２０ａ，２０ｂ，２０ｃ，２０ｄ，２０ｅ等（ロールペーパー）が生成される。なお、ログロール２０から裁断されるトイレットペーパーは、図２に示した数量に限定されない。
【００２１】
図３は、図２のログロール２０から裁断したトイレットペーパー２０ａの概観図である。なお、ログロール２０から裁断された各トイレットペーパーは、いずれも同一に構成されており、ここではトイレットペーパー２０ａを例示して説明する。
トイレットペーパー２０ａは、ログロール２０から巻軸１７が引き抜かれた跡に形成される中心孔２１を有している。中心孔２１は、ロール形状の軸心に沿った丸孔状の貫通孔であり、一様な内径で形成されている。
【００２２】
また、図３に示した中心孔２１の内壁部分ａ１，ａ２には第１接着剤４１が付着されており、内壁部分ｂには第２接着剤４２が付着されている。即ち、ログロール２０から裁断されたトイレットペーパー２０ａ〜２０ｅは、各中心孔２１の内壁部分ａ１，ａ２が第１接着剤４１によって凝固され、また、内壁部分ｂが第接着剤４２によって凝固されており、中心孔２１の内壁には容易に型崩れしない程度の剛性を備えている。
また、前述のようにログロール２０を巻上げるとき、裁断部分を跨ぐ所定範囲に第１接着剤４１を付着させていることから、トイレットペーパー２０ａのロール両側方に存在する中心孔２１の開口部分、もしくはその近傍は、他の部分に比べて強く凝固しており、特に、トイレットペーパー２０ａのロール側方の型崩れを重点的に防いでいる。
【００２３】
中心孔２１の内壁部分ａ１，ａ２の奥行き寸法としては、例えば、トイレットペーパー２０ａを保持させる、いわゆるワンタッチホルダーに備えられた支持部材の長さに対応させるとよい。上記の支持部材は、当該ワンタッチホルダーにトイレットペーパー２０ａを保持させるとき、中心孔２１の両端側から各々挿入するように構成されている。そこで、この支持部材の長さと概ね同様な奥行きの内壁部分ａ１，ａ２を設けておき、他よりも強く凝固させた箇所に支持部材が当接するように中心孔２１を構成する。このように構成することにより、ワンタッチホルダーに保持させたトイレットペーパー２０ａが容易に回転し、ロール形状から薄紙を容易に引き出することができるようになる。換言すると、上記の支持部材の長さに対応させて第１接着剤４１を付着させる範囲を設定することが好ましい。
【００２４】
上記のようにワンタッチホルダーの支持部材と当接する部分の剛性を高めることにより、ワンタッチホルダーに保持されているトイレットペーパー２０ａが容易に型崩れすることを防ぐことができる。
また、内壁部分ａ１，ａ２を内壁部分ｂよりも強く凝固、もしくは接着させることにより、即ち、薄紙の幅方向において、中央部分の接着力が両端の接着力よりも弱いことから、薄紙の中央部分を手で掴んで引き出したとき、凝固部分から剥離する薄紙がちぎれることを抑制することができ、芯材に相当する部分を残すことなくトイレットペーパー２０ａを最後まで使い切ることが可能になる。
【符号の説明】
【００２５】
１製造装置
１０原反ロール
１１幅広ペーパー
１２，１３送り出しローラー
１４，１５摩擦ローラー
１６ライダーローラー
１７巻軸
１８接着剤供給器
１９カッター
２０ログロール
２０ａ〜２０ｅトイレットペーパー
２１中心孔
３１，３２噴射器
４１第１接着剤
４２第２接着剤
【図１】
2018158055.tif 000003
【図２】
2018158055.tif 000004
【図３】
2018158055.tif 000005